(57)【要約】  【課題】デポジット堆積条件である場合に、噴孔に大量の燃焼ガスが流入してデポジットが生成されるのを防ぐのに好適な燃料噴射制御装置を提供することを目的とする。【解決手段】  サック部及び前記サック部と燃焼室とを連通する通路である噴孔を備えている燃料噴射弁の制御装置において、燃料に金属成分が含まれているか否かを検知する金属成分検知手段と、前記燃料噴射弁の先端部の温度を推定する燃料噴射弁温度推定手段と、を備えており前記噴孔にデポジットが堆積する条件である前記金属成分検知手段が燃料に金属成分が含まれていることを検知し、さらに前記燃料噴射弁温度推定手段が推定した温度が所定値以上である場合、前記燃料噴射弁が膨張行程の後期に燃料を噴射するように制御する。【選択図】図４
2012072741.tif 000002
【特許請求の範囲】
【請求項１】
サック部及び前記サック部と燃焼室とを連通する通路である噴孔を備えている燃料噴射弁の制御装置において、
燃料に金属成分が含まれているか否かを検知する金属成分検知手段と、
前記燃料噴射弁の先端部の温度を推定する燃料噴射弁温度推定手段と、を備えており
前記噴孔にデポジットが堆積する条件である前記金属成分検知手段が燃料に金属成分が含まれていることを検知し、さらに前記燃料噴射弁温度推定手段が推定した温度が所定値以上である場合、
前記燃料噴射弁が膨張行程の後期に燃料を噴射するように制御することを特徴とする燃料噴射弁の制御装置。
【発明の詳細な説明】
【技術分野】
【０００１】
この発明は、燃料噴射制御装置に係り、より具体的には、車両に搭載するのに好適な燃料噴射制御装置に関する。
【背景技術】
【０００２】
従来、噴孔を備えた燃料噴射弁が知られている（例えば、特開２０１０−１８０７６３参照。）。この燃料噴射弁の先端部には、サック部と、サック部に連通する通路である噴孔が設けられている。
【先行技術文献】
【特許文献】
【０００３】
特開２０１０−１８０７６３号公報
【発明の開示】
【発明が解決しようとする課題】
【０００４】
しかしながら、上記従来技術では、燃料噴射後に発生する燃焼ガスが少量だけ噴孔に流入する。噴孔に流入した燃焼ガスは、サック部へと侵入する。膨張行程では、ピストンが下降して燃焼室は減圧される。燃焼室とサック部は連通しているためサック部も減圧される。そのため、サック部に侵入した燃焼ガスは減圧される。減圧した燃焼ガスは膨張する。膨張した燃焼ガスは、サック内部の燃料の一部を押し出す。燃料が押し出されると、サック部の一部が空部となる。一部が空部となるため、燃焼室とサック部との間で気体の流れが生じる。この気体の流れにより、噴孔に大量の燃焼ガスが流入してしまう。
【０００５】
ところで、燃料中には金属成分（Ｚｎ、Ｃａなど）が混入している場合がある。燃料の一部は、燃料噴射後に噴孔に残留する。残留した燃料に、熱が加わることにより金属成分がイオン化する。イオン化した金属成分と、燃焼ガスが反応することによりデポジットが生成される。そのため、従来技術では、燃料中に金属成分（Zn、Ｃａなど）が混入し、燃料噴射弁の先端温度が高くなるような条件（以下、デポジット堆積条件）において、噴孔に大量の燃焼が流入してデポジットが生成されるという問題がある。
【０００６】
この発明は、上述のような課題を解決するためになされたもので、デポジット堆積条件である場合に、噴孔に大量の燃焼ガスが流入してデポジットが生成されるのを防ぐのに好適な燃料噴射制御装置を提供することを目的とする。
【課題を解決するための手段】
【０００７】
第１の発明は、上記目的を達成するため、燃料噴射制御装置であって、
サック部及び前記サック部と燃焼室とを連通する通路である噴孔を備えている燃料噴射弁の制御装置において、
燃料に金属成分が含まれているか否かを検知する金属成分検知手段と、
前記燃料噴射弁の先端部の温度を推定する燃料噴射弁温度推定手段と、
を備えており
前記金属成分検知手段が燃料に金属成分が含まれていることを検知し、さらに前記燃料噴射弁温度推定手段が推定した温度が所定値以上であると前記燃料噴射制御装置が判断した場合、前記燃料噴射弁が膨張行程の後期に燃料を噴射するように制御することを特徴とする。
【発明の効果】
【０００８】
第１の発明によれば、膨張行程後期に燃料を噴射するため、燃料の押し出しにより空部となったサック内部を、燃料で満たすことができる。サック部が燃料で満たされているため、気体の流れが生じない。その結果、噴孔に大量の燃料ガスが流入してデポジットが生成されるのを抑制することができる。
【発明を実施するための形態】
【０００９】
実施の形態１．
以下に、本発明の実施の形態１にかかる燃料噴射制御装置を図面に基づいて詳細に説明する。図１は本発明の実施の形態１を備えたディーゼルエンジンの全体の構成を示す図である。図に示すように、エンジン本体３０には４つの気筒が一列に配置されている。各気筒には燃料を噴射する燃料噴射弁３２が設けられている。燃料噴射弁３２はＥＣＵ３４により制御されている。ＥＣＵ３４には、金属成分検知センサ４４、エアフローメータ、吸気温度センサ、吸気圧センサ、アクセル開度センサ、エンジン水温センサ、クランク角センサ、筒内圧センサ、コモンレール圧センサ、からの出力信号が、制御データとして入力される。金属成分検知センサ４４は金属成分検知手段として機能する。ＥＣＵ３４は燃料噴射弁推定手段、燃料噴射制御装置として機能する。また燃料噴射弁３２は、燃料供給管３６を介して、コモンレール３８と接続している。コモンレール３８は燃料噴射弁３２に高圧燃料を供給する。コモンレール３８はサプライポンプ４０から燃料が供給される。サプライポンプ４０は燃料タンク内に蓄えられた燃料を所定の燃圧まで加圧する。
【００１０】
図２は、本発明の実施の形態１が制御する燃料噴射弁３２の先端断面図である。燃料噴射弁３２は、ノズルボディ１０を備える。ノズルボディ１０は、内部に円筒形状の空間が形成されている。ノズルボディ１０には、ニードル弁２０が設けられている。ノズルボディ１０の先端部にはサック部２２が設けられている。サック部２２は、燃料受け部として機能する。サック部２２には、燃料を噴射させる噴孔２４が形成されている。燃料はサック部２２、噴孔２４を通過して噴射される。燃料噴射後、サック部２２は燃料で満たされる。図示しないが、ノズルボディ１２の先端部は燃焼室に突出するようにシリンダヘッドに取り付けられている。
【００１１】
ところで、燃料噴射弁３２には、噴孔２４にデポジットが生成される問題がある。デポジットが生成されることにより、燃料噴射弁３２の噴射量が低下する。デポジットの生成メカニズムは、次のように推定される。燃料噴射後に燃料の一部が噴孔２４に残留する。燃料中に金属成分（Ｚｎ、Ｃａなど）が含まれている場合、金属成分に熱が加わることにより、金属成分がイオン化する。イオン化した金属成分に燃焼ガスが加わることで噴孔２４にデポジットが生成される。
【００１２】
本発明の実施の形態１における燃料噴射弁３２では、サック部２２と噴孔２４とが連通しているため、燃料噴射後にごく少量の燃焼ガスがサック部２２へ侵入する。図３はクランク角度に応じた燃焼室の圧力推移を示した図である。図に示したとおり、膨張行程（クランク角度０〜９０）では燃焼室は減圧となる。そのため、サック部２２へ侵入した燃焼ガスが、膨張行程での減圧に伴い膨張する。膨張した燃焼ガスがサック部２２に残留している燃料を押し出す。サック部２２が空部となり、気体の流れが生じる。そのため、大量の燃焼ガスが噴孔２４へ流入する。上述したとおり、燃料中に金属成分（Zn、Ｃａなど）が混入し、燃料噴射弁３２の先端温度が高くなるような条件に、燃焼ガスが加わることにより、デポジットが生成される。よって、噴孔２４にデポジットが生成される。
【００１３】
そこで、本発明の実施の形態１では、噴孔２４に大量の燃焼ガスが流入しないように、膨張行程後期に燃料を噴射している。燃料を噴射することにより、空部となったサック部２２を燃料で満たす。また、膨張行程後期では、図４に示すように減圧が微量となる。そのため、燃焼ガスが、サック部２２の燃料を押し出すほど膨張しない。よって、サック部２２を燃料で満たし続ける。サック部２２が燃料で満たされているため、噴孔２４とサック部２２とで気体の流れが生じない。
【００１４】
以下、大量の燃焼ガスが噴孔２４へと流入するのを抑制するための燃料噴射制御装置による制御のフローチャートを具体的に説明する。図４は燃料噴射弁３２の噴射制御フローである。
【００１５】
ステップ１００では、噴孔２４へデポジットが堆積する条件か否かの判定をする。具体的には、金属成分検知センサ４４を用いて燃料に金属成分が混入しているか否かを検知する。検知した信号はＥＣＵ３４に入力される。また、各種エンジンパラメータからの出力がＥＣＵ３４に入力される。入力された信号からＥＣＵ３４が燃料噴射弁３２の先端温度Ｔｎｚを推定する。燃料噴射量をＱｉ［mm3／st］、着火時期をＩＧＴ［ATDC］、燃料噴射圧力をＰｉ［MPa］、機関回転数をＮＥ［rpm］、Ｃ１〜Ｃ４を定数、と定めた場合に、燃料噴射弁３２の先端温度Ｔｎｚは次式で表される。
Ｔnz＝Ｃ１・ＮＥ＋Ｃ２・Ｑｉ＋Ｃ３・ＩＧＴ＋Ｃ４・Ｐｉ
推定した燃料噴射弁の先端温度Ｔｎｚが所定値よりも高いか否かを判定する。燃料に金属成分が混入していることが検知され、さらに燃料噴射弁の先端温度Ｔｎｚが所定値よりも高いとＥＣＵ３４が判定した場合は、噴孔２４へデポジットが堆積する条件であると判定する。デポジット堆積条件と判定された場合は、ステップ１０２へ進む。
【００１６】
ステップ１０２では、膨張行程噴射が車両の性能に悪影響を及ぼさないか否かを判定する。具体的には、車両の負荷状況が高負荷である場合は、車両の性能に悪影響を及ぼさないと判定される。また、触媒再生中か否かで判定してもよい。性能への影響無しと判定された場合は、ステップ１０４へ進む。
【００１７】
ステップ１０４では、燃料噴射弁３２が膨張行程後期噴射をするように、ＥＣＵ３４は燃料噴射弁３２に対して指令を出す。そして、フロー終了となる。
【００１８】
上述のように、実施の形態１によれば、デポジット堆積条件において、膨張行程後期に燃料を噴射することができる。そのため、デポジット堆積条件であっても、燃焼ガスが噴孔へ流入することを防ぐことができ、デポジットの堆積を抑制することができる。
【図面の簡単な説明】
【００１９】
【図１】本発明の実施の形態１を備えたディーゼルエンジンの全体の構成を示す図である。
【図２】本発明の実施の形態１が制御する燃料噴射弁３２の先端断面図である。
【図３】クランク角度に応じた燃焼室の圧力推移を示した図である。
【図４】燃料噴射弁の噴射制御フローである。
【符号の説明】
【００２０】
１０…ノズルボディ、２０…ニードル、２２…サック部、２４…噴孔、３０…エンジン本体、３２…燃料噴射弁、３４…ＥＣＵ、３６…燃料供給管、３８…コモンレール、４０…サプライポンプ、４２…燃料タンク、４４…金属成分検知センサ
【図１】
2012072741.tif 000003
【図２】
2012072741.tif 000004
【図３】
2012072741.tif 000005
【図４】
2012072741.tif 000006